(57)【要約】 【課題】  熱充填による上蓋の開蓋を防止し、密封性が改善されたキャップを提供する。【解決手段】  容器の口部に装着されるキャップ本体と、ヒンジを介して連設される上蓋とからなる熱充填可能なヒンジキャップであって、キャップ本体は、注出筒と、注出筒の外側に蓋係合部とを立設する基壁と、基壁の周縁部から垂設される外周壁部とを備え、外周壁部は、ヒンジの反対側に拡径された嵌合突部を有し、上蓋は、頂壁と、頂壁の周縁部に垂設される側周壁とを備え、側周壁のヒンジの反対側の外周に連設されるロック部を有し、ロック部は、側周壁に接合される左右の側部と、中央部とからなり、左右の側部にヒンジ部を設け、ヒンジ部を支点としてロック部を下方に回動し、中央部の内側面に設けられた係止嵌合部を、キャップ本体の嵌合突部に嵌合させて、上蓋をロック状態とすることを特徴とする。【選択図】  図２
2019131216.tif 000002
【特許請求の範囲】
【請求項１】
容器の口部に装着されるキャップ本体と、キャップ本体にヒンジを介して連設される上蓋とからなる熱充填可能なヒンジキャップであって、
キャップ本体は、注出筒と、注出筒の外側に蓋係合部とを立設する基壁と、基壁の周縁部から垂設される外周壁部とを備え、
外周壁部は、ヒンジの反対側に拡径された嵌合突部を有し、
上蓋は、頂壁と、頂壁の周縁部に垂設される側周壁とを備え、
側周壁は、下端部の内周に、キャップ本体の蓋係合部に係合する係合凹部と、ヒンジの反対側の外周に連設されるロック部とを有し、
ロック部は、側周壁に接合される左右の側部と、中央部とからなり、
左右の側部にヒンジ部を設け、ヒンジ部を支点としてロック部を下方に回動し、中央部の内側面に設けられた係止嵌合部を、キャップ本体の嵌合突部に嵌合させて、上蓋をロック状態とすることを特徴とするヒンジキャップ。
【請求項２】
上蓋は、側周壁のヒンジの反対側の上部外周に押さえ凹部を有し、
上蓋を開封する際に、ロック状態を解除し、ロック部の中央部の係止嵌合部が押さえ凹部に当接することを特徴とする請求項１に記載のヒンジキャップ。
【請求項３】
上蓋は、係合凹部に、容器への打栓時に空気を抜くための空気抜き溝が設けられていることを特徴とする請求項１または２に記載のヒンジキャップ
【請求項４】
注出筒は、内周下部が拡径された段部を有する開口面が突設され、
上蓋は、頂壁の内面からシール筒が垂設され、
シール筒は、下部外周側に段部を設けて縮径された下部シール筒を有し、
シール筒は、閉蓋時に注出筒の内周面に挿入されて密封状態とするシール部が形成されるとともに、
下部シール筒は、閉蓋時において、注出筒の開口面に近接あるいは当接し、下部シール筒と開口面とで仮シール部が形成されることを特徴とする請求項１〜３のいずれかに記載のヒンジキャップ。
【請求項５】
シール筒の段部と、注出筒の段部との間に空間が設けられ、液だめ部とすることを特徴とする請求項４に記載のヒンジキャップ。
【請求項６】
上蓋は、シール筒の外側に、外筒が頂壁の内面から垂設され、
キャップ本体の基壁は、注出筒の外側に案内突条を立設し、案内突条の外周下部に係合凹所が周設され、
閉蓋時に、外筒の先端部が係合凹所の底面に近接することを特徴とする請求項４または５に記載のヒンジキャップ。
【発明の詳細な説明】
【技術分野】
【０００１】
本発明は、容器の口部に装着されるヒンジキャップに関し、とくに容器内に充填した加熱殺菌された内容液によりヒンジキャップの上蓋内の空気が加熱され、内圧が上昇することにより、上蓋が開蓋することを防止した熱充填の際に用いられるヒンジキャップに関するものである。
【背景技術】
【０００２】
殺菌のため加熱された内容液を充填するヒンジキャップにおいて、内容液を充填し、ヒンジキャップを打栓した後、容器内部を殺菌し、次いで容器外部より温水シャワーで洗浄、冷却することは従来から行われている。
【０００３】
そしてまた、殺菌のための加熱処理によるキャップ内の空気圧の上昇により、上蓋が開蓋することを防止するために、上蓋の係合部とキャップ本体の蓋係合部との係合の他に、キャップ本体に蓋保持部を設けて、上蓋の摘み部を嵌合させて新たな嵌合を付加することによって、上蓋の開蓋を防止することも、従来から知られている（例えば、特許文献１参照）。
【先行技術文献】
【特許文献】
【０００４】
【特許文献１】特開２００９−３５２８２号公報
【発明の概要】
【発明が解決しようとする課題】
【０００５】
しかしながら、特許文献１記載のヒンジキャップは、キャップ本体のヒンジの反対側の外周上端に、弱化部を介して蓋保持部が設けられており、上蓋を開蓋する際に、キャップ本体の蓋保持部に指を掛け、上方に持ち上げて弱化部を切断するものであるため、上蓋の係合部とキャップ本体の蓋係合部との嵌合を外す力に加えて、弱化部を切断する力が必要になるとともに、蓋保持部が摘み部に嵌合したまま、上蓋が開蓋されるので、開蓋の後に摘み部と蓋保持部との嵌合を外し、摘み部から蓋保持部を取り除かなければならないという問題があった。
また、上記のヒンジキャップの場合、上蓋から突出する摘み部に蓋保持部を嵌合するものであるため、突出部分が大きくなり、保管の際に邪魔になるという問題もあった。
【０００６】
本発明は、上記問題を解決することを課題とし、摘み部分の突出部分を少なくするとともに、加熱によるキャップ内の空気の圧力上昇により、上蓋が開蓋することがないヒンジキャップを提供することを目的とする。
【課題を解決するための手段】
【０００７】
本発明は、上記の課題を解決するため、ヒンジキャップとして、容器の口部に装着されるキャップ本体と、キャップ本体にヒンジを介して連設される上蓋とからなる熱充填可能なヒンジキャップであって、キャップ本体は、注出筒と、注出筒の外側に蓋係合部とを立設する基壁と、基壁の周縁部から垂設される外周壁部とを備え、外周壁部は、ヒンジの反対側に拡径された嵌合突部を有し、上蓋は、頂壁と、頂壁の周縁部に垂設される側周壁とを備え、側周壁は、下端部の内周に、キャップ本体の蓋係合部に係合する係合凹部と、ヒンジの反対側の外周に連設されるロック部とを有し、ロック部は、側周壁に接合される左右の側部と、中央部とからなり、左右の側部にヒンジ部を設け、ヒンジ部を支点としてロック部を下方に回動し、中央部の内側面に設けられた係止嵌合部を、キャップ本体の嵌合突部に嵌合させて、上蓋をロック状態とすることを特徴とする構成を採用する。
【０００８】
ヒンジキャップの実施形態として、上蓋は、側周壁のヒンジの反対側の上部外周に押さえ凹部を有し、上蓋を開封する際に、ロック状態を解除し、ロック部の中央部の係止嵌合部が押さえ凹部に当接することを特徴とする構成、また、上蓋は、係合凹部に、容器への打栓時に空気を抜くための空気抜き溝が設けられていることを特徴とする構成を採用する。
【０００９】
ヒンジキャップの実施形態として、注出筒は、内周下部が拡径された段部を有する開口面が突設され、上蓋は、頂壁の内面からシール筒が垂設され、シール筒は、下部外周側に段部を設けて縮径された下部シール筒を有し、シール筒は、閉蓋時に注出筒の内周面に挿入されて密封状態とするシール部が形成されるとともに、下部シール筒は、閉蓋時において、注出筒の開口面に近接あるいは当接し、下部シール筒と開口面とで仮シール部が形成されることを特徴とする構成を採用する。
【００１０】
さらに、ヒンジキャップの具体的実施形態として、シール筒の段部と、注出筒の段部との間に空間が設けられ、液だめ部とすることを特徴とする構成、また、上蓋は、シール筒の外側に、外筒が頂壁の内面から垂設され、キャップ本体の基壁は、注出筒の外側に案内突条を立設し、案内突条の外周下部に係合凹所が周設され、閉蓋時に、外筒の先端部が係合凹所の底面に近接することを特徴とする構成を採用する。
【発明の効果】
【００１１】
本発明のヒンジキャップは、上記構成を採用することにより、閉蓋時においては、ヒンジの反対側に設けられたロック部を押し下げ、キャップ本体の嵌合突部にロック部の係止嵌合部を嵌合させることによって、上蓋がロックされた状態とし、上蓋内の圧力上昇によって開蓋するのを防止し、開封時には、ロック部を引っ張り上げることによって、ロック状態が解除され、摘み部として働いて、容易に開蓋することができる。
加熱された内容液を収容する場合、ノズルタイプのヒンジキャップでは、熱による体積膨張の影響を受けやすいため、プルリングによって抜栓するタイプのヒンジキャップが使用されてきたが、本発明の構成を有することによって、プルリングのないノズルタイプのヒンジキャップであっても、キャップ内の圧力による開蓋を防止することができる。
【００１２】
また、ロック状態においては、ロック部などによる突出が少なくなり、保管の際に邪魔にならなくなるとともに、開封時においては、ロック状態が解除され、上蓋とキャップ本体の嵌合が上蓋の係合凹部とキャップ本体の蓋係合部との嵌合を外すのみであるので、弱い力で開蓋することができる。
【図面の簡単な説明】
【００１３】
【図１】本発明の実施例のヒンジキャップがロックされた状態を示す図であり、（ａ）は上面図で、（ｂ）は側面図である。
【図２】本発明の実施例のヒンジキャップがロックされた状態を示す図であり、（ａ）は側面断面図で、（ｂ）は正面図である。
【図３】本発明の実施例のヒンジキャップが開蓋された状態を示す図であり、（ａ）は上面図で、（ｂ）は側面断面図である。
【図４】本発明の実施例のヒンジキャップにおいて、ロック状態が解除された状態を示す図であり、（ａ）は上面図で、（ｂ）は側面図である。
【図５】本発明の実施例のヒンジキャップで開封する直前の状態を示す図であり、（ａ）は上面図で、（ｂ）は側面図である。
【図６】本発明の実施例のヒンジキャップで開封する直前の状態を示す図であり、（ａ）は側面断面図で、（ｂ）は正面図である。
【発明を実施するための形態】
【００１４】
本発明のヒンジキャップについて、具体化した実施例を示した図面を参照して説明する。
【実施例】
【００１５】
図１〜６において、Ａはキャップ本体、Ｂはヒンジ、ＣはヒンジＢを介してキャップ本体Ａに開閉可能に取り付けられた上蓋である。
【００１６】
図２、図３および図６で示すように、キャップ本体Ａは、容器の口部に装着される装着部３と、装着部３の内縁上端から内方に延設され、口部の開口を封鎖する基壁４と、基壁４を貫通する注出口の周囲から立設される注出筒５とを備えている。
注出筒５の下部の内周側が拡径され、段部５ａが設けられ、突設された開口面５ｂが形成されている。
また、注出筒５は、内容液を注ぎ易くするために、本実施例では、ヒンジＢと反対側（注出側）は、ヒンジＢ側よりも高く形成され、リップ部５ｃは、ラッパ状に広がっている。さらに、注出筒５は、キャップ本体Ａの中心軸に対してヒンジＢと反対側（注出側）の偏心した位置に設けられている。
【００１７】
装着部３は、周縁に係止突条６が設けられ、上蓋Ｃと係合する環状の蓋係合部７と、蓋係合部７の内周側から垂設される内筒８と、蓋係合部７の外周側から垂設される外周壁部９とから構成されている。
外周壁部９は、内周下部に容器の口部と係合するための係合突部１０が設けられている。
また、外周壁部９のヒンジＢの反対側の上部外周には、後述する上蓋Ｃのロック部２６が嵌合するための拡径した嵌合突部１８が設けられている。
【００１８】
外周壁部９のヒンジＢの左右いずれかの近傍には、図３に示すように、外周面に平面視で略Ｖ字状の外周切り込み部１１が下端部に薄肉底壁１２を残して上方から切り込まれている。
係合突部１０の外周切り込み部１１に対応する位置には、図示しないが内周切り込み部が縦方向に刻設され、縦方向引き裂きラインが形成される。また、内周切り込み部は、他の係合突部１０にも数箇所設けられている。
【００１９】
外周切り込み部１１のヒンジＢ側では、端面１１ａの内周側の上部の薄肉部を隔てた位置を起点として円周方向に延びるように、スリット溝１３が上方から凹設され、本実施例では、端面１１ａを始点として、約３４５°にわたって延びている。
また、縦方向引き裂きラインに隣接するスリット溝１３の起点を引き裂き開始点として、スリット溝１３の底面１４の内周側には、外周壁部９と蓋係合部７を連結する薄肉の連結部１５が設けられ、周方向引き裂きラインが円弧状に延びるように形成され、終点の破断不能な連結部１５まで引き裂き可能となっている。
【００２０】
本実施例では、基壁４の上面には、注出筒５の外側に案内突条１６が立設され、案内突条１６の外周側下部には係合凹所１７が周設されている。
係合凹所１７は、上蓋Ｃに衝撃を受けた場合に、後述する上蓋Ｃの外筒２３の先端部２３ａが係合する。
なお、本実施例では案内突条１６は全周に設けられているが、ヒンジＢ側のみでも構わない。
【００２１】
上蓋Ｃは、図３で示すように、ヒンジＢを介してキャップ本体Ａの外周壁部９の外周上端に、回動自在に取着されており、頂壁２０と、頂壁２０の周縁部から垂設された側周壁２１とを備えている。
頂壁２０は、内面からシール筒２２と、シール筒２２の外側に位置し、注出筒５より大径の外筒２３とが垂設されている。
【００２２】
本実施例では、シール筒２２は、閉蓋時に注出筒５の内周面に挿入されて密封状態とする通常のシール部ａが形成されるとともに、シール筒２２の下部外周側に段部２２ａを設けて縮径された下部シール筒２２ｂが設けられ、下部シール筒２２ｂは、閉蓋時において、注出筒５の内周下部に突設された開口面５ｂに近接あるいは当接するように形成されており、下部シール筒２２ｂと開口面５ｂとで、シール部ａの下にもう一つの仮シール部ｂが形成される。
シール部ａと仮シール部ｂとの二段のシールでヒンジキャップが密封されるので、衝撃により、片方のシールが外れる場合にも、他方のシールによりシールされ、液が漏れることがない。
また、シール筒２２の段部２２ａと注出筒５の段部５ａとの間に空間が設けられ、容器の落下等による衝撃を受けて、仮シール部ｂに少量の内容液が侵入したときの液だめ部ｃとなって内容液をとどめることができる。
【００２３】
外筒２３の先端部２３ａは、閉蓋時にキャップ本体Ａの基壁４の案内突条１６に案内され、係合凹所１７に挿入されるとともに、下面が係合凹所１７の底面に近接するように形成されている。
【００２４】
側周壁２１の下端部は、内周側に、キャップ本体Ａの蓋係合部７の係止突条６と係合して閉蓋状態を維持する係合凹部２４が周設されている。
係合凹部２４には、熱充填の際にキャップ内が加熱されて圧力が高められたとしても開蓋しないように、容器の口部に打栓するときに空気を抜くための空気抜き溝２５が設けられており、本実施例では３箇所に設けられている。
側周壁２１のヒンジＢと反対側の外周には、ロック部２６が連設されるとともに、上部外周には、押さえ凹部２７が設けられている。
【００２５】
ロック部２６は、上蓋Ｃとの接合部となる左右２箇所の側部３１と、上蓋Ｃとは接合しない板状の中央部３２とからなり、左右の側部３１の上面部に切欠きのあるヒンジ部３０がそれぞれ設けられ、ヒンジ部３０を支点にして下方に回動させることができ、中央部３２の内側面には係止嵌合部３３が設けられており、キャップ本体Ａの外周に設けられた嵌合突部１８の下端部に係合させて、図１で示すように、上蓋Ｃをロック状態とすることができる。
また、中央部３２は、ロック状態のときに、キャップ本体Ａの外周壁部９に近接あるいは当接するように、円弧状となっている。
なお、ロック部２６は、図４で示すように、嵌合を外すことでロック状態が解除され、摘み部としての役割を担うことができ、さらに、図５および図６で示すように、中央部３２の係止嵌合部３３が上蓋Ｃの押さえ凹部２７に当接し、上蓋Ｃを開封することができる。押さえ凹部２７には、係止嵌合部３３と係合する係止突部を設けてもよく、その場合、係止嵌合部３３と押さえ凹部２７とが係合した状態で開蓋される。
【００２６】
次に、本実施例の使用態様と作用効果について説明する。
本実施例のヒンジキャップは、最初に、図３に示す状態から、ロック部２６を持って上蓋ＣをヒンジＢを介して回動し、キャップ本体Ａに被せ、上蓋Ｃの係合凹部２４をキャップ本体Ａの蓋係合部７に嵌合させて閉蓋する。
【００２７】
上蓋Ｃを閉蓋した状態では、図４で示すように、ロック部２６は、まだロックが解除されたままの状態であるので、ロック状態とするためには、ロック部２６の中央部３２を持ち、係止嵌合部３３をキャップ本体Ａの嵌合突部１８下端部に係合させることによって、図１で示すように上蓋Ｃがロックされた状態となる。
また、本実施例では、上蓋Ｃのシール筒２２の外周下部は、キャップ本体Ａの注出筒５の内周に密着して、シール部ａが形成されるとともに、シール筒２２の外周下部の下部シール筒２２ｂは、内周面が注出筒５の開口面５ｂに近接あるいは当接して仮シール部ｂが形成されるとともに、閉蓋途中に、上蓋Ｃの外筒２３は、ヒンジＢ側からキャップ本体Ａの基壁４の案内突条１６に向かって下降し、その後、外筒２３は、案内突条１６の外周面に案内されながら、外筒２３の先端部２３ａが基壁４の係合凹所１７内に挿入され、係合凹所１７の底面に近接する。
【００２８】
次に、容器内に加熱された内容液を充填し、容器の口部にロックされたヒンジキャップを打栓して装着される。
打栓工程は、装着部３の内筒８と外周壁部９との間に形成された環状溝に容器の口部を当てがい、上蓋Ｃの上から押圧力が加えられ、外周壁部９の係合突部１０が口部に嵌合し、容器の口部が内筒８の外周と外周壁部９の内周、および蓋係合部７とによって挟持されることで装着される。
【００２９】
本実施例では、加熱された内容液が充填されていても、打栓時に係合凹部２４に設けられた空気抜き溝２５から空気が抜けて、圧力が弱められるとともに、上蓋Ｃがロック部２６によってロック状態となっているので、圧力上昇しても上蓋Ｃが開蓋することがない。また、ヒンジキャップがロック状態であるならば、殺菌のための加熱処理や、温水シャワーなどによる洗浄、冷却などが行われても、同様に上蓋Ｃは開蓋することがない。
【００３０】
本実施例のヒンジキャップは、閉蓋状態で、上蓋Ｃのシール筒２２は、キャップ本体Ａの注出筒５の内周とのシール部ａと、下部シール筒２２ｂと注出筒５の開口面５ｂとの仮シール部ｂとの二段でシールされ、一方のシールが衝撃で外れる場合にも、他方のシールによりシールされ、容器の気密性が保たれるとともに、落下等に受ける衝撃により、仮シール部ｂに内容液が侵入しても、液だめ部ｃがあるので、内容液がとどめられてシール部ａから内容液が漏れることがない。
【００３１】
次に、本実施例のヒンジキャップを開封して、内容液を取り出すには、ロック状態のロック部２６の中央部３２に手指を掛け、引っ張ることによって、ロック部２６とキャップ本体Ａの嵌合突部１８との嵌合が外れ、ロック状態が解除され、さらに、ロック部２６の中央部３２を持ち上げ、ロック部２６の係止嵌合部３３が上蓋Ｃの押さえ凹部２７に当接し、さらにロック部２６を持ち上げることによって、上蓋Ｃの係合凹部２４と、キャップ本体Ａの蓋係合部７との嵌合が外れて上蓋Ｃが開封される。
【００３２】
また、本実施例においては、上蓋Ｃの開封と同時に、シール筒２２の下部シール筒２２ｂが注出筒５の下部の開口面５ｂとの仮シール部ｂが外れ、つづいてシール筒２２は、キャップ本体Ａの注出筒５とのシール部ａが外れ、上蓋Ｃが開蓋されるので、容器を傾けただけで、容易に注出筒５から容器内の内容液を注出することができる。
【００３３】
上蓋Ｃをキャップ本体Ａに再び閉蓋するには、上蓋Ｃのロック部２６の中央部３２を持って、押し下げて、上蓋Ｃの係合凹部２４と、キャップ本体Ａの蓋係合部７とを嵌合して閉蓋する。その際、さらに、ロック部２６の中央部３２を持って、係止嵌合部３３をキャップ本体Ａの嵌合突部１８下端部に係合してロック状態にしておけば、落下などの衝撃によって上蓋Ｃが開蓋してしまうのを防ぐことができる。
ただ、すぐに再使用することが明らかな場合にはロック状態は解除したままでもよい。
【００３４】
また、本実施例では、シール筒２２の下部シール筒２２ｂが注出筒５の開口面５ｂに近接して仮シール部ｂを形成するとともに、シール筒２２の外周がキャップ本体Ａの注出筒５の内周に密着してシール部ａが形成され、キャップ本体Ａ内を密封することができる。
【００３５】
本実施例のヒンジキャップは、容器内の内容液を全部使用した後、容器から分別して廃棄することができる。
その際には、ヒンジキャップを開蓋し、上蓋Ｃを指で把持して外方に引っ張ると、外周壁部９のヒンジＢとの連設部位が引っ張られて変形し、縦方向引き裂きラインが破断され、さらに上蓋Ｃを引っ張ると、周方向引き裂きラインを形成する連結部１５が破断を始める。連結部１５の破断が進行すると、上蓋Ｃがキャップ本体Ａから離れていく。
スリット溝１３の終端部まで連結部１５の切断が完了し、さらに上蓋Ｃを引っ張ると、キャップ本体Ａと容器との嵌合が外され、ヒンジキャップと容器とを分別廃棄することができる。
【産業上の利用可能性】
【００３６】
本発明のヒンジキャップは、容器内の内容液、または、温水シャワーによりヒンジキャップ内の空気が加熱され、内圧が上昇しても、ロック部によってロック状態となって、上蓋の開蓋を防止することができるとともに、ロック状態を解除することで摘み部として働き、開封が容易になる。
また、シール筒と注出筒とによるシール部と、下部シール筒と注出筒下部の開口面とによる仮シール部との二段のシールにより密封され、密封性が向上して熱充填における内容液の噴出防止性が改善される。
本発明のヒンジキャップは、何度でも開閉が容易で、しかもリシール性に優れ、熱充填用として使用できるので、密封性の必要な内容液を収納する容器用のキャップとして広い範囲に応用できる。
【符号の説明】
【００３７】
Ａ              キャップ本体
Ｂ              ヒンジ
Ｃ              上蓋
ａ              シール部
ｂ              仮シール部
ｃ              液だめ部
３              装着部
４              基壁
５              注出筒
５ａ            段部
５ｂ            開口面
５ｃ            リップ部
６              係止突条
７              蓋係合部
８              内筒
９              外周壁部
１０              係合突部
１１              外周切り込み部
１１ａ            端面
１２              薄肉底壁
１３              スリット溝
１４              底面
１５              連結部
１６              案内突条
１７              係合凹所
１８              嵌合突部
２０              頂壁
２１              側周壁
２２              シール筒
２２ａ            段部
２２ｂ            下部シール筒
２３              外筒
２３ａ            先端部
２４              係合凹部
２５              空気抜き溝
２６              ロック部
２７              押さえ凹部
３０              （左右）ヒンジ部
３１              （左右）側部
３２              中央部
３３              係止嵌合部
【図１】
2019131216.tif 000003
【図２】
2019131216.tif 000004
【図３】
2019131216.tif 000005
【図４】
2019131216.tif 000006
【図５】
2019131216.tif 000007
【図６】
2019131216.tif 000008